(57)【特許請求の範囲】
【請求項１】
可視光線を患者の網膜上に収束する眼内レンズであって、前記レンズはレンズ本体の周囲を定める一体のへり表面により接合された２つの光学的表面、およびレンズ本体に対して垂直の光学的軸を有するワンピースのレンズ本体を具備し、前記一体のへり表面は前記表面と接触する可視光線を患者の網膜から離れる方向に反射するための手段を構成する少なくとも２つの凸形に彎曲した表面を有することを特徴とする眼内レンズ。
【請求項２】
可視光線を患者の網膜上に収束する眼内レンズを製造する方法であって、前記レンズはレンズ本体の周囲を定める一体のへり表面により接合された２つの光学的表面、およびレンズ本体に対して垂直の光学的軸を有するワンピースのレンズ本体を具備し、前記一体のへり表面は、
少なくとも２つの凸形に彎曲した表面を有し、前記表面と接触する可視光線を患者の網膜から離れる方向に反射し、
前記方法は、工程：
レンズのブランクを精密旋盤でダイヤモンド旋削して、レンズのブランク上に前および後の光学的表面を形成し、
前記レンズのブランクをフライス盤に移し、
少なくとも２つの凸形の湾曲した表面に相当する形状を切削部分において有する総形バイトのフライスでフライス通路に沿ってオプチクスのへりおよびハプチックループのへりを機械加工する
ことを含むことを特徴とする眼内レンズを製造する方法。
【発明の詳細な説明】
【０００１】
【産業上の利用分野】
本発明は、レンズのへりから網膜上に反射する可視光線の量を最小にするように設計された眼のレンズに関する。さらに詳しくは、本発明はへり表面上に入射する光を網膜から離れる方向に反射するように設計されたへり表面をもつレンズ本体を有する、眼のレンズ、ことに眼内レンズに関する。
【０００２】
【従来技術及びその課題】
従来の眼内レンズは、典型的には、ある種の条件下に、入射する光を網膜上に反射して、不都合な光学的像、例えば、ハロー、リング、または円弧（普通に「グレア（ｇｌａｒｅ）」と呼ばれる）を生成することがある平らなへりを有する。典型的には、レンズのへり表面を露出またはほぼ露出するために十分に瞳孔が張り広がるとき、像は発生する。これらの状態は夜または薄暗い光で起こる。例えば、不都合な像は、夜にドライブするとき、向かって来る車のヘッドライトからの光線がレンズの露出したへりから反射または散乱するとき、この光線により生成されることがある。
【０００３】
グレアの問題は小切開手術（ｓｍａｌｌ  ｉｎｃｉｓｉｏｎ  ｓｕｒｇｅｒｙ）のために特別に設計された眼内レンズについて悪化した。小切開手術のための眼内レンズは丸いか、あるいは卵形のレンズ本体を有することができるが、レンズ本体の直径は普通の外科手術のために設計されたレンズのそれより小さい。したがって、これらの小さい直径のへりは入射光に暴露される頻度が多い。
【０００４】
より普通には、小切開手術のための眼内レンズは卵形である。これらの卵形レンズは「卵形（ｏｖｏｉｄ）」レンズと呼ばれ、そしてこのようなレンズはクレイマン（Ｃａｌｙｍａｎ）の特許、米国特許第４，２９８，２４４号に記載されている。これらの卵形レンズの製造法のために、卵形はレンズ本体の小さい直径の側でより厚いへりを有する。したがって、それはとくに反射しかつグレアを発生しやすい。なぜなら、より厚いへりはより多い表面区域を反射のために提供し、したがってこれらの問題を増幅するからである。
【０００５】
小切開手術の人気は増加しつつあり、そして卵形は多数の小切開手術のために選択されるレンズとなった。へりのグレアは卵形レンズの主要な欠点の１つである。グレアの問題を抑制することができるならば、これらのレンズの人気は増大し続けるであろう。
【０００６】
不都合なことには、グレアの問題を取り扱うことを試みたレンズの設計はこの問題の取り扱いおける実際性または効率から遠く離れている。例えば、米国特許第４，５９６，５７８号は、レンズ本体および、眼の前眼房中のレンズ本体の位置を固定するための変形可能な位置決め部材を有する眼内レンズを開示している。レンズ本体および位置決め部材は別々に眼の中に挿入され、次いで眼の中で一緒に接続されてレンズを形成する。位置決め部材の一部分はレンズ本体の周辺を被覆し、そしてこの部分はレンズ本体の周辺に接触する光線が網膜から離れる方向に転向されるような形状を有することができる。このレンズの設計は理論的にはグレアを最小とすることを助ける働きをするが、この問題を取り扱うための面倒な試みを表す。まず眼内レンズのレンズ本体を挿入し、その後レンズ本体に接続しなくてはならない位置決め部材を挿入しなくてはならないことは、外科医の観点から明らかに望ましくない。
【０００７】
他の試みは眼内レンズにおけるグレアの効果を最小とすることであった。米国特許第４，７８１，７１７号は、レンズ本体およびレンズ本体のへり被覆する、レンズ本体を取り囲む一体的に取り付けられたリムを有する眼内レンズを開示している。「へり効果」およびグレアの減少は、この特許により、異なるカラーを付加するか、あるいは異なるリム材料を使用することによって達成することができる。米国特許第４，７４３，２５４号は、レンズ本体および変形可能なグレアの取り付けを有する眼内レンズを記載している。グレアの取り付けおよびレンズ本体は円を形成し、そしてグレアの取り付けは、眼内レンズが眼の中の小さい切開を通して挿入できるように折畳まれる「フラップ」として想像することができる。グレアの取り付けは、光学的レンズ本体に比較してこの区画を通る光の透過率を減少するために不透明であることが望ましい。再び、これらの２つのアプローチは理論的にはグレアを減少する働きをすることができるが、レンズの設計は製作が困難でありそして、レンズを眼の中に移植しようとするとき、外科医にとって不必要な複雑さを発生する。さらに、これらのレンズの設計は着色剤または異なる成分をレンズ組成物の中に混合することを必要とし、これは製造法をさらに複雑とする。
【０００８】
眼内レンズにおけるグレアを最小とする他の興味ある設計は、米国特許第４，７５５，１８２号の中に見出すことができる。この特許は、眼内レンズの操作および眼の中への挿入のとき外科医を助けるために、レンズ本体の周辺上に表示された位置決め穴を有する眼内レンズを開示している。位置決め穴はレンズ本体を通して部分的にのみ穴開けされ、そして穴の内表面は磨かれない。位置決め穴のための設計の特徴はグレアを有意に減少する。しかしながら、眼内レンズのレンズ本体のへり表面に接触する入射光により引き起こされるグレアを減少する手段に関する論考は存在しない。
【０００９】
ここにおける論考は主として眼内レンズに限定されてきたが、へりのグレアの問題はまた他の眼のレンズについて固有である。小切開手術のためにより小さい眼内レンズを設計する主要な努力は、急に発展するへりのグレアの問題に導いたが、これらの問題は、また、他の眼のレンズの設計、とくにコンタクトレンズおよびメガネのためのレンズの設計とともに起こるという事実を読者は見逃すべきではない。
【００１０】
すべての型の眼のレンズについてのこのへりのグレアの問題の広がる性質にかんがみて、設計が簡単であり、しかもへりのグレアの問題を軽減する眼のレンズを形成することは高度に望ましいであろう。さらに詳しくは、眼の社会において、不都合なグレアの発生を有意に減少するか、あるいは本質的に排除するような方法で特徴づけられるへり表面を有する、レンズのレンズ本体のための簡単なワンピースの設計のレンズが必要とされる。
【００１１】
【課題を解決するための手段】
本発明は眼のレンズである。眼のレンズは、患者の網膜上に可視光線を収束するワンピースのレンズ本体からなる。レンズ本体はレンズ本体の周囲を定める一体のへり表面を有する。一体のへり表面は、この表面上に表示され、へり表面と接触する可視光線を患者の網膜から離れる方向に反射する手段を含む。
【００１２】
本発明の眼のレンズは設計が簡単である。それはレンズのへり表面と接触し、次いで網膜上に反射する入射光により引き起こされる患者のグレアを有意に減少するか、あるいは排除する。これらのレンズはレンズ本体を形成するために２またはそれ以上の別々の片からの製作を必要とせず、そして外科医は接続可能な構成部分を患者の眼の中に別々に移植することを必要としない。へり表面と接触する光により引き起こされるグレアを最小とするか、あるいは排除するために、レンズ本体のへり表面を被覆することは必要ではない。さらに、へり表面を含む、レンズ本体の周辺部分は、主要なレンズのオプチクスの材料と異なる材料から構成することは必要ではない。例えば、レンズ本体の周辺を定める材料の中に、これらの周辺領域を通る光の透過を減少することを意図する、成分または成分の組み合わせを混合することは不必要である。
【００１３】
レンズは、へり表面上に入射する光が眼の網膜から離れる方向に反射されるように、ベベル部分または凸形に湾曲した部分を有する、第３の一体のへり表面により接合された２つの光学的表面を有するレンズ本体からなる。
【００１４】
本発明を記載する目的で、眼のレンズは視覚を改良し、治療を提供し、あるいは外観を増強または変更する、眼のための任意のレンズである。このようなレンズは、眼内レンズ、コンタクトレンズ、角膜インレイレンズ、角膜包帯レンズ、およびメガネを包含するが、これらに限定されない。好ましくは、眼のレンズは角膜上に、あるいは眼の中に配置するために設計される。好ましいレンズは眼内レンズおよびコンタクトレンズである。最も好ましいレンズは眼内レンズである。眼内レンズは、眼の天然の水晶体を除去したとき、白内障の手術後に眼の中に移植される人工レンズである。
【００１５】
この明細書の中で定義するように、眼のレンズのレンズ本体はもっぱらレンズの光学的レンズを呼ぶ。したがって、本発明の眼のレンズは、例えば、「スリー−ピースのレンズ」（２つのフィラメント状ハプチックが取り付けられているレンズ本体を有する）として従来知られている眼内レンズがワンピースのレンズ本体を有するかぎり、このスリー−ピースのレンズを排除しない。
【００１６】
【実施例】
本発明が簡単な方法で解決する困難性を説明するために、従来の移植された眼内レンズのへりを横切る入射光線の通路を図１に表わす。図１に、ヒトの眼１０が示されており、この眼はその外部に角膜１１、および虹彩１２を含む。眼内レンズ１３、例えば、後眼房レンズは白内障手術後に眼の後水晶体包１４の中に移植されて、瞳孔１５を通して眼に入る光を収束する。瞳孔を通して眼に入る入射光線１６は眼内レンズのレンズ本体のへり１７に衝突することがある。へり表面が従来のように先行技術において普通に使用される平らな、あるいは丸められている表面であるとき、光線１８はへり表面から反射して眼の背後に向かって後方に進んで、眼の活性網膜領域に衝突する。この反射はグレアを引き起こし、このグレアは眼の網膜上に形成された不都合な光学的像である。同様な方法において、不都合なグレアは他の眼のレンズ、最も顕著にはコンタクトレンズおよびメガネからのへりの反射により形成されることがある。
【００１７】
グレアの実質的な排除は、へり表面と接触する入射光線を患者の網膜から離れる方向に反射する手段をレンズのへり表面上に付加することによって達成することができる。これらの手段の好ましい態様は、図２における眼内レンズの顕微鏡写真で示されている。図２Ａにおいて、可視光線を患者の網膜上に収束する、簡単なワンピースのレンズ本体をもつ眼内レンズが見られる。このレンズ本体はレンズ本体の周囲を定める一体のへり表面を有する。相互に対向するフィラメント状ハプチック（ｈａｐｔｉｃ）がレンズに取り付けられかつレンズから外方に延びている。ハプチックは眼の中のレンズのための支持を提供し、そして移植後にレンズが中心をはずれるのを防止する。図２Ｂに明瞭に描写されているように、一体のへり表面は複数のみぞを有するが、へり表面上に表示された単一のみぞで光を網膜から離れる方向に反射させることができる。みぞの各々は他のみぞに対して実質的に平行であり、そして各みぞはレンズの周囲の回りをレンズ本体の平面に対して実質的に平行である方向に延びている。
【００１８】
次に図３を参照すると、軸を外れた入射光線が図２Ａおよび図２Ｂに写真で示す眼内レンズのへり表面と接触するとき、それが取る通路が概略的に示されている。入射光線２０はレンズ本体のへりのみぞ付き表面と接触し、そして網膜から離れる方向に反射し、こうしてグレア効果を排除するか、あるいは有意に減少する。
【００１９】
図３に描写するように、みぞの各々は好ましくはＶ字形であるが、任意の形状を使用することができる。実際には、Ｖ字形みぞをレンズのへり表面の中に機械加工するとき、Ｖ字形みぞが実際に丸められたへりを有することができるように、鋭い外側へりを加工の間に、例えば、ダンブリングの間に研磨してレンズを磨くことができる。しかしながら、このＶ字形の形状は好ましい。なぜなら、他の形状、とくにみぞが本質的に丸められた形である形状は、不都合なグレア像をより多くすることによって、有効性を減少するからである。
【００２０】
へり表面上に付加されたみぞの実際の数は、前述したような単一のみぞから多数のみぞの任意の、広い範囲にわたって変化することができる。みぞの数は本発明の実施に対して臨界的ではなく、そしてへり表面の厚さならびに各みぞの幅に依存するであろう。一般に、多数のみぞを形成することが好ましい。なぜなら、みぞの数が増加するとき、各みぞの要求される深さは相応して減少するからである。これは有利である。なぜなら、各みぞの深さが大き過ぎるようになる場合、みぞがオプチクスのゾーンの中に割込み、結局レンズ本体の視的性能に影響を与える可能性が存在するからである。他方において、へり表面からの不都合な光の散乱または回折の可能性を増加することがある、各個々のみぞが小さ過ぎる点に到達するであろう。有利には、みぞの数は、各みぞの深さが光の波長から光の波長より約４００×大きい範囲内で変化するようなものである（可視スペクトルの光の波長は約４５０〜約７５０ナノメーターの範囲である）。通常、各みぞの正確な寸法は、レンズの光学的性能と製造の拘束との間に適切な釣合いが得られるようなものである。
【００２１】
図３のみぞ付きへりのレンズと、先行技術の従来の平らなまたは丸められたへりのレンズとの性能の差は、図４に示されている。ここで、図４において入射光線２２はレンズ本体の平らなへり表面２３と接触し、そしてこのへり表面はこの光を眼の網膜表面に向けて反射させる。この反射は網膜上に不都合なグレアをつくる危険を相応して増加する。
【００２２】
次に図６を参照すると、本発明の別の態様を具体化する垂直の光学的軸１０２を有する眼のレンズの本体１００が示されている。レンズ本体のへり表面１０４は、へり表面上に入射する光線を網膜から離れる方向に反射するような方法で角度をもつ、少なくとも１つの後のベベル部分１０６から構成されている。へりがレンズの後側に１つのベベル部分を含有する場合において、ベベル部分１０６と垂直の光学的軸１０２との間の角度は約１０°〜４５°であり、２５°は好ましい角度である。
【００２３】
この態様が２またはそれ以上のベベル部分を有する場合、ベベル部分１０６、１０８と垂直の光学的軸１０２との間の角度は約１０°〜６０°であり、３０°は好ましい角度である。前および後のベベル部分の間の夾角は約１２０°〜１６０°であることが好ましい。
【００２４】
次に図７を参照すると、本発明の好ましい態様を具体化する垂直の光学的軸１０２を有する眼のレンズの本体１００が示されている。レンズ本体のへり表面１１０は、へり表面上に入射する光線を網膜から離れる方向に反射させるために、前述の角度の好ましい範囲内の角度の傾斜を各点においてもつ、凸形の湾曲状の形態から構成されている。１つのこのような湾曲状表面は円の曲率半径Ｒ1およびＲ2を有し、ここで両者のは、一般に、方程式：
Ｒ2＝ｘ2＋ｙ2
により規定され、ここでＲは曲率半径であり、ｘは湾曲状表面の断面上の各点の水平座標でありかつｙは垂直座標である。半径Ｒはレンズのへり厚さの約１／２〜約２倍であり、へり厚さにほぼ等しいＲは好ましい。
【００２５】
本発明の眼のレンズの使用から得られる有益な効果は、レンズ本体が比較的小さいときの１つの特定の場合において、大きい程度に実現される。眼内レンズに関すると、従来の丸いレンズは典型的には６〜７ｍｍの直径を有するが、小切開手術の出現で、５．５ｍｍより小さいか、あるいはそれに等しい直径をもつ丸いレンズはいっそう普通になりつつある。瞳孔に関するレンズ本体の直径の減少は、入射光がこれらのレンズのへり表面と接触する危険を相応して増加する。
【００２６】
入射光がレンズのへり表面と接触する頻度は不都合なグレアの問題の苛酷さにおける決定的因子であるばかりでなく、かつまたへり表面の厚さはこの問題を強調する傾向がある。不都合なことには、へりの厚さが増加するにつれて、グレアの問題の苛酷さは同様によく増加する傾向がある。これに関して、丸いレンズは約０．２０〜約０．２８ｍｍの厚さの薄いへりを有するが、この範囲より外のへり厚さは可能である。しかしながら、卵形レンズは典型的にはへり表面において変化する厚さを有し、薄いへり領域および厚いへり領域をもつ。厚いへり領域はレンズの光学的力に依存して変化するであろうが、典型的には２０ジオプトリーのレンズのための約０．４０ｍｍである。とくに光を網膜から離れる方向に反射させるために魅力的な、みぞ付きへり表面を使用するのは、卵形レンズ上の厚さが増加したへりのこれらの領域においてである。
【００２７】
眼のレンズのレンズ本体のへり表面上のみぞの配置は、普通の機械加工法を使用して達成することができる。例えば、所望のみぞ付きへりの効果を提供するように特別に設計されたカッターをもつフライス盤を使用することができる。あるいは、他の方法、例えば、注型または型押を使用することができる。レンズがソフトレンズ、例えば、シリコーン、ソフトアクリル、またはヒドロゲルのレンズである場合、みぞは成形法の間にレンズ上に付加することができる。詳しくは、これはみぞの所望の形状を有するレンズのための金型を単に機械加工することを必要とするだけであろう。
【００２８】
ワンピースの眼内レンズは典型的には機械加工により作られ、これは本発明のレンズにとって好ましい。図８に示すように、精密旋盤でダイヤモンド旋削してレンズの前および後の光学的表面が形成されたレンズのブランク１１２が存在する。この方法は先行技術のレンズについて使用されそして、また、図６および図７に描写されている本発明の態様に対して適用可能である。
【００２９】
先行技術の方法において普通であるように、次の工程はまた本発明において好ましい。次いでレンズをフライス盤に移し、ここでオプチクス１１６のへりおよびハプチックのループ１１８をフライス通路１１４に沿って機械加工する。次に図９ａを参照すると、先行技術の方法において、これはオプチクス１１６のへり１２０およびオプチクス１１８のへり１２２を鋭い角をもって平らに残した。前述したようにへりの反射からグレアの問題を引き起こすオプチクス上の平らなへりに加えて、鋭い角は、また、眼内レンズの移植後に、組織の刺激を引き起こすことがある。
【００３０】
先行技術はこれは問題をダンブリングの磨き法を使用することによって処理した。ダンブリングの磨きは切削および磨砕したレンズを極端に微細な研磨物質の容器の中に入れることであり、ここで図９ｂに示すように研磨物質は光学的表面のダイヤモンド旋削からのラップマークを除去しならびに鋭いへり丸くする。
【００３１】
図９ｂを参照すると、オプチクス１１６は丸められた角１２４を有するが、へり部分１２０はまた平らでありそしてへりのグレアの問題を引き起こす傾向があることを見ることができる。さらに、オプチクスのへりを丸くするために要求されるダンブリングの磨きの期間は２週までであることがある。この磨きの程度は、光学的表面のダイヤモンド旋削からのラップマークを単に除去するためには不必要である。
【００３２】
次に図１０を参照すると、眼内レンズのオプチクス部分１１６に加えて、総形バイトのフライス１２６が示されている。この図面から理解できるように、総形バイトのフライスは、本発明に従い作られるレンズのへり１３０について望む凸形部分に対応する凹形の形状を切削部分１２８に有する。
【００３３】
図１１に関すると、前述のそれに対応する凹形の切削表面をもつ、このような総形バイトのフライスを使用する結果が示されている。眼内レンズのオプチクス部分１１６は適当に形成された凸形へり表面を有するばかりでなく、かつまたハプチック部分１１８は適当に丸められたへり表面１３２を有する。眼内レンズの前および後の光学的表面のダイヤモンド旋削からのラップマークを除去するために、ダンブリングの磨きをなお必要とするが、ダンブリングの磨きの時間を有意に減少させることができる。図１１に示すようにレンズは、眼内レンズの光学的表面上の顕微鏡的ラップラインを除去するために要求される量のダンブリングの前後において、本質的に同一に見えるであろう。
【００３４】
図７および図１１において見出される、それぞれ、１１０および１３０のような湾曲状凸形表面を生成することに加えて、図６のレンズに見出されるへり１０４のそれに相当するベベルへりの形状を生成するために総形バイトのフライスを使用するすることができる。
【００３５】
従来の丸められたへりの眼内レンズおよびみぞ付き眼内レンズにより生成されたシミュレーションした網膜像は、これらのレンズの光学的性能における差を例示するために、図５Ａおよび図５Ｂに写真で示されている。試料のレンズをグルストランド（Ｇｕｌｌｓｔｒａｎｄ）の眼モデルで光学的性能について試験した。グルストランドのモデルは、典型的な眼の寸法を使用する、ヒトの眼の機械的シミュレーションである。眼モデルは被験レンズを挿入して、天然の結晶質水晶体の代わりに眼内レンズの光学的性能を測定できるように作る。グルストランドの眼モデルは、本来Ａ．Ｇｕｌｌｓｔｒａｎｄ，Ｄｅｉ  Ｏｐｔｉｓｃｈ  Ａｂｂｅｄｕｎｇ、ｅｄ．３，Ｈｅｌｍｈｏｌｔｚ  Ｈａｎｄｂｕｃｈ  ｄｅｒ  Ｐｈｙｓｉｌｏｇｉｓｃｈｅｎ  Ｏｐｔｉｋ，Ｈａｍｂｕｒｇ  １９０９；次いでより最近、例えば、Ｈ．Ｈ．Ｅｍｓｌｅｙ，Ｖｉｓｕａｌ  Ｏｐｔｉｃｓ，３ｒｄ  ｅｄ．、ｐｇ．３４６、Ｂｕｔｔｅｒｗｏｒｔｈｓ，Ｓｃａｎｒｂｏｒｏｕｇｈ，Ｏｎｔ．１９５５に記載されている普通の眼モデルである。シミュレーションした網膜像を直接写真に撮って、移植した被験レンズをもつ患者が見ることができる像を示す。
【００３６】
図５Ａは、みぞをもたない従来のへり表面をもつ標準の卵形レンズからの像である。図５Ｂは、本発明の範囲内のみぞ付き非グレアのレンズからの像である。写真の各々に示されている充実の円形部分は、レンズを通過する光からの有用な像である。非グレアの眼内レンズについての有用の像の左の三日月は、へりの反射からの不都合な像である。
【００３７】
図５Ａおよび図５Ｂに示す写真を比較すると理解されるように、図５Ａにおけるへりの反射から生成した三日月の形状の像は図５Ｂに示す写真において劇的に排除されている。したがって、これらの実験の結果が示すように、眼内レンズ、ならびに他の種類の眼のレンズの、へりからの反射により引き起こされる不都合な光学的像は、光を網膜から離れる方向に反射する手段をへり表面上に付加することによって、最もとくにへり表面上にＶ字形みぞを付加することによって排除することができる。
【００３８】
本発明をその好ましい態様について説明した。、当業者は、この明細書を読んだ後、本発明の範囲および精神内の多数の追加の態様を容易に思考することができるであろう。
【００３９】
本発明の主な特徴および態様は、次の通りである。
【００４０】
１．可視光線を患者の網膜上に収束する眼のレンズであって、前記レンズはレンズ本体の周囲を定める第３の一体のへり表面により接合された２つの光学的表面、およびレンズ本体に対して垂直の光学的軸を有するワンピースのレンズ本体を具備し、前記一体のへり表面は前記表面と接触する可視光線を患者の網膜から離れる方向に反射するための少なくとも１つのベベル部分を有することを特徴とする前記眼のレンズ。
【００４１】
２．前記少なくとも１つのベベル部分は、前のベベル部分を包含する、複数のベベル部分からなる上記第１項記載のレンズ。
【００４２】
３．前記ベベル部分が前記レンズ本体の垂直の光学的軸に対して１０°〜４５°の角度にある上記第１項記載のレンズ。
【００４３】
４．前記ベベル部分が前記レンズ本体の垂直の光学的軸に対して約２５°の角度にある上記第３項記載のレンズ。
【００４４】
５．前記前および後のベベル部分が前記レンズ本体の垂直の光学的軸に対して約１０°〜６０°の角度にある上記第２項記載のレンズ。
【００４５】
６．前記前および後のベベル部分が前記レンズ本体の垂直の光学的軸に対して約３０°の角度にある上記第５項記載のレンズ。
【００４６】
７．前記前および後のベベル部分が約１２０°〜１６０°の夾角を形成する上記第５項記載のレンズ。
【００４７】
８．可視光線を患者の網膜上に収束する眼のレンズであって、前記レンズはレンズ本体の周囲を定めるへり厚さをもつ第３の一体のへり表面により接合された２つの光学的表面、およびレンズ本体に対して垂直の光学的軸を有するワンピースのレンズ本体からなり、前記一体のへり表面は前記表面と接触する可視光線を患者の網膜から離れる方向に反射するための凸形の湾曲状の形態を有する、前記眼のレンズ。
【００４８】
９．前記湾曲状表面は、方程式：
Ｒ2＝ｘ2＋ｙ2
により規定され、ここでＲは曲率半径であり、ｘは湾曲状表面の断面上の各点の水平座標でありかつｙは垂直座標であり、そしてＲはレンズのへり厚さの約１／２〜約２倍である上記第８項記載のレンズ。
【００４９】
１０．Ｒがへり厚さにほぼ等しい上記第９項記載のレンズ。
【００５０】
１１．前記レンズが隔膜のインレイレンズである上記第１または８項記載のレンズ。
【００５１】
１２．前記レンズが眼内レンズである上記第１または８項記載のレンズ。
【００５２】
１３．前記眼内レンズが５．５ｍｍより小さいか、あるいはそれに等しい直径をもつ丸められたレンズ本体を有する上記第１または８項記載のレンズ。
【００５３】
１４．前記眼内レンズが卵形眼内レンズである上記第１または８項記載のレンズ。
【００５４】
１５．可視光線を患者の網膜上に収束する眼のレンズを製造する方法であって、前記レンズはレンズ本体の周囲を定める第３の一体のへり表面により接合された２つの光学的表面、およびレンズ本体に対して垂直の光学的軸を有するワンピースのレンズ本体を具備し、前記一体のへり表面は、
少なくとも１つの後のベベル部分、および
凸形の湾曲状の形態、
から成る群の少なくとも１つの形状を有し、前記表面と接触する可視光線を患者の網膜から離れる方向に反射し、前記方法は、工程：
レンズのブランクを精密旋盤でダイヤモンド旋削して、レンズのブランク上に前および後の光学的表面を形成し、
前記レンズのブランクをフライス盤に移し、
少なくとも１つの後のベベル部分、および凸形の湾曲状の形態から成る群に相当する形状を切削部分において有する総形バイトのフライスでフライス通路に沿ってオプチクスのへりおよびハプチックループのへりを機械加工する
ことを含むことを特徴とする眼内レンズを製造する方法。
【図面の簡単な説明】
【図１】ヒトの眼の略断面図であり、ヒトの眼の中に移植された普通の眼内レンズのレンズ本体のへりから反射した入射光線の通路を示す。
【図２】１５×の倍率で撮った顕微鏡写真であり、本発明の範囲内の眼内レンズの全体の斜視図（Ａ）、及び８５×の倍率で撮った顕微鏡写真であり、図２Ａの眼内レンズのへり（Ｂ）を示す。
【図３】本発明の眼のレンズのレンズ本体のへり表面の拡大断面図であり、へり表面からの入射光線の反射を示す。
【図４】従来の眼のレンズのレンズ本体のへり表面の拡大断面図であり、へり表面からの入射光線の反射を示す。
【図５】光学的性能をシミュレーションするために眼のモデルの中に移植された従来の眼内レンズから生成した網膜の像を示す写真（Ａ）、及び光学的性能をシミュレーションするために、図５Ａの写真の調製のために使用したのと同一の眼のモデルの中に移植された、本発明の範囲内の眼内レンズから生成した網膜の像を示す写真（Ｂ）を示す。
【図６】ベベル部分を有する本発明の別の態様のレンズの直径に沿って取った断面図である。
【図７】湾曲状凸形へり表面を有する本発明の他の態様のレンズの直径に沿って取った断面図である。
【図８】オプチクスおよびハプチックから成る眼内レンズを切断したレンズのブランクの上平面図である。
【図９】それぞれ、ベレル仕上の前後の先行技術の磨砕した眼内レンズのオプチクスおよびハプチックを断面図で示す。
【図１０】フライス盤により本発明に従い作られる別の態様のレンズを断面図で示す。
【図１１】製作が本発明による方法により完結した後、眼内レンズのオプチクスおよびハプチック部分の図面を、図９の断面図に相当する断面図で示す。
【符号の説明】
１０  ヒトの眼
１１  角膜
１２  虹彩
１３  眼内レンズ
１４  後水晶体包
１５  瞳孔
１６  入射光線
１７  へり
１８  光線
１９  活性網膜領域
２０  入射光線
２１  みぞが形成された表面
２２  入射光線
２３  平のへりの表面
１００  眼のレンズの本体
１０２  垂直の光学的軸
１０４  へりの表面
１０６  後のベベル部分
１０８  ベベル部分
１１０  へりの表面
１１２  レンズのブランク
１１４  フライス通路
１１６  オプチクス部分
１１８  ハプチックのループ、ハプチック部分
１２０  へり部分
１２２  へり部分
１２４  丸められた角
１２６  総形バイトのフライス
１２８  切削部分
１３０  凸形表面
１３２  丸められたへり表面
【図１】
0003782482.tif 000002
【図２】
0003782482.tif 000003
【図３】
0003782482.tif 000004
【図４】
0003782482.tif 000005
【図５】
0003782482.tif 000006
【図６】
0003782482.tif 000007
【図７】
0003782482.tif 000008
【図８】
0003782482.tif 000009
【図９】
0003782482.tif 000010
【図１０】
0003782482.tif 000011
【図１１】
0003782482.tif 000012